(57)【要約】【課題】発光効率を向上させることの可能な有機電界発光パネルおよび電子機器を提供する。【解決手段】本開示の一実施の形態の有機電界発光パネルは、複数の赤色画素、複数の緑色画素および複数の青色画素を備えている。各赤色画素、各緑色画素および各青色画素は、第１電極層、電子ブロッキング性を有する中間層、発光層および第２電極層をこの順に有している。各緑色画素の中間層の厚さが、各赤色画素の中間層の厚さよりも薄くなっている。【選択図】図５
2019153710.tif 000002
【特許請求の範囲】
【請求項１】
複数の赤色画素、複数の緑色画素および複数の青色画素を備え、
各前記赤色画素、各前記緑色画素および各前記青色画素は、第１電極層、電子ブロッキング性を有する中間層、発光層および第２電極層をこの順に有し、
各前記緑色画素の前記中間層の厚さが、各前記赤色画素の前記中間層の厚さよりも薄くなっている
有機電界発光パネル。
【請求項２】
各前記赤色画素、各前記緑色画素および各前記青色画素において、前記中間層は、前記発光層に接している
請求項１に記載の有機電界発光パネル。
【請求項３】
前記中間層は、塗布膜で形成されており、かつ、不溶化層となっている
請求項１または請求項２に記載の有機電界発光パネル。
【請求項４】
各前記赤色画素、各前記緑色画素および各前記青色画素は、前記第１電極層と前記中間層との間に、前記発光層へ正孔の注入を促進させる機能を有する正孔注入層を有し、
前記中間層は、正孔を前記発光層へ輸送する機能を有する
請求項１から請求項３のいずれか一項に記載の有機電界発光パネル。
【請求項５】
前記正孔注入層は、金属酸化物層と、前記金属酸化物層に積層された有機物層とを含んで構成されており、
各前記赤色画素、各前記緑色画素および各前記青色画素において、前記金属酸化物層の厚さが互いに等しくなっている
請求項４に記載の有機電界発光パネル。
【請求項６】
各前記赤色画素の前記有機物層の厚さが、各前記緑色画素の前記有機物層の厚さよりも厚くなっている
請求項５に記載の有機電界発光パネル。
【請求項７】
各前記青色画素の前記中間層の厚さが、２０ｎｍ以上３０ｎｍ以下となっており、
各前記緑色画素の前記中間層の厚さが、１０ｎｍ以上２０ｎｍ以下となっており、
各前記赤色画素の前記中間層の厚さが、３０ｎｍ以上５０ｎｍ以下となっている
請求項６に記載の有機電界発光パネル。
【請求項８】
有機電界発光パネルと、前記有機電界発光パネルを駆動する駆動回路とを備え、
前記有機電界発光パネルは、複数の赤色画素、複数の緑色画素および複数の青色画素を有し、
各前記赤色画素、各前記緑色画素および各前記青色画素は、第１電極層、電子ブロッキング性を有する中間層、発光層および第２電極層をこの順に有し、
各前記緑色画素の前記中間層の厚さが、各前記赤色画素の前記中間層の厚さよりも薄くなっている
電子機器。
【発明の詳細な説明】
【技術分野】
【０００１】
本開示は、有機電界発光パネルおよび電子機器に関する。
【背景技術】
【０００２】
有機電界発光素子を用いた有機電界発光装置（有機電界発光ディスプレイ）として、種々のものが提案されている（例えば、特許文献１参照）。
【先行技術文献】
【特許文献】
【０００３】
【特許文献１】特開２００６−２３７０３８号公報
【特許文献２】特開２００９−１６４２３６号公報
【発明の概要】
【発明が解決しようとする課題】
【０００４】
ところで、有機電界発光装置では、一般的に、有機電界発光素子の発光効率を向上させることが求められている。そのため、発光効率を向上させることの可能な有機電界発光パネル、およびそのような有機電界発光パネルを備えた電子機器を提供することが望ましい。
【課題を解決するための手段】
【０００５】
本開示の一実施の形態の有機電界発光パネルは、複数の赤色画素、複数の緑色画素および複数の青色画素を備えている。各赤色画素、各緑色画素および各青色画素は、第１電極層、電子ブロッキング性を有する中間層、発光層および第２電極層をこの順に有している。各緑色画素の中間層の厚さが、各赤色画素の中間層の厚さよりも薄くなっている。
【０００６】
本開示の一実施の形態の電子機器は、上記の有機電界発光パネルと、上記の有機電界発光パネルを駆動する駆動回路とを備えている。
【０００７】
本開示の一実施の形態の有機電界発光パネルおよび電子機器では、各緑色画素の中間層の厚さが、各赤色画素の中間層の厚さよりも薄くなっている。これにより、各緑色画素の中間層の厚さを、各赤色画素の中間層の厚さよりも厚くしたときのような、緑色画素における発光効率の低下が抑制される。
【発明の効果】
【０００８】
本開示の一実施の形態の有機電界発光パネルおよび電子機器によれば、各緑色画素の中間層の厚さを、各赤色画素の中間層の厚さよりも薄くしたので、発光効率を向上させることができる。なお、本開示の効果は、ここに記載された効果に必ずしも限定されず、本明細書中に記載されたいずれの効果であってもよい。
【図面の簡単な説明】
【０００９】
【図１】本開示の一実施の形態に係る有機電界発光装置の概略構成例を表す図である。
【図２】図１の各画素に含まれる副画素の回路構成例を表す図である。
【図３】図１の有機電界発光パネルの概略構成例を表す図である。
【図４】図３の有機電界発光パネルのＡ−Ａ線での断面構成例を表す図である。
【図５】図４の各有機電界発光素子の層構成例を表す図である。
【図６】図４の各有機電界発光素子の各層の膜厚例を表す図である。
【図７】青色の副画素の発光効率の一例を表す図である。
【図８】緑色の副画素の発光効率の一例を表す図である。
【図９】赤色の副画素の発光効率の一例を表す図である。
【図１０Ａ】赤色の副画素の有機物層の厚みと光取り出し効率との関係の一例を表す図である。
【図１０Ｂ】緑色の副画素の有機物層の厚みと光取り出し効率との関係の一例を表す図である。
【図１０Ｃ】青色の副画素の有機物層の厚みと光取り出し効率との関係の一例を表す図である。
【図１１】図１の有機電界発光パネルの概略構成の一変形例を表す図である。
【図１２】本開示の有機電界発光装置を備えた電子機器の外観の一例を斜視的に表す図である。
【図１３】本開示の有機電界発光素子を備えた照明装置の外観の一例を斜視的に表す図である。
【発明を実施するための形態】
【００１０】
以下、本開示を実施するための形態について、図面を参照して詳細に説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略又は簡略化する。
【００１１】
＜１．実施の形態＞
[構成]
図１は、本開示の一実施の形態に係る有機電界発光装置１の概略構成例を表したものである。図２は、有機電界発光装置１に設けられた各画素１１に含まれる副画素１２の回路構成の一例を表したものである。有機電界発光装置１は、例えば、有機電界発光パネル１０、コントローラ２０およびドライバ３０を備えている。ドライバ３０は、例えば、有機電界発光パネル１０の外縁部分に実装されている。有機電界発光パネル１０は、行列状に配置された複数の画素１１を有している。コントローラ２０およびドライバ３０は、外部から入力された映像信号Ｄｉｎおよび同期信号Ｔｉｎに基づいて、有機電界発光パネル１０（複数の画素１１）を駆動する。
【００１２】
（有機電界発光パネル１０）
有機電界発光パネル１０は、コントローラ２０およびドライバ３０によって各画素１１がアクティブマトリクス駆動されることにより、外部から入力された映像信号Ｄｉｎおよび同期信号Ｔｉｎに基づく画像を表示する。有機電界発光パネル１０は、行方向に延在する複数の走査線ＷＳＬと、列方向に延在する複数の信号線ＤＴＬおよび複数の電源線ＤＳＬと、行列状に配置された複数の画素１１とを有している。
【００１３】
走査線ＷＳＬは、各画素１１の選択に用いられるものであり、各画素１１を所定の単位（例えば画素行）ごとに選択する選択パルスを各画素１１に供給するものである。信号線ＤＴＬは、映像信号Ｄｉｎに応じた信号電圧Ｖｓｉｇの、各画素１１への供給に用いられるものであり、信号電圧Ｖｓｉｇを含むデータパルスを各画素１１に供給するものである。電源線ＤＳＬは、各画素１１に電力を供給するものである。
【００１４】
各画素１１は、例えば、赤色光を発する副画素１２、緑色光を発する副画素１２、および青色光を発する副画素１２を含んで構成されている。なお、各画素１１は、例えば、さらに、他の色（例えば、白色や、黄色など）を発する副画素１２を含んで構成されていてもよい。各画素１１において、複数の副画素１２は、例えば、所定の方向に一列に並んで配置されている。
【００１５】
各信号線ＤＴＬは、後述の水平セレクタ３１の出力端に接続されている。各画素列には、例えば、複数の信号線ＤＴＬが１本ずつ、割り当てられている。各走査線ＷＳＬは、後述のライトスキャナ３２の出力端に接続されている。各画素行には、例えば、複数の走査線ＷＳＬが１本ずつ、割り当てられている。各電源線ＤＳＬは、電源の出力端に接続されている。各画素行には、例えば、複数の電源線ＤＳＬが１本ずつ、割り当てられている。
【００１６】
各副画素１２は、画素回路１２−１と、有機電界発光素子１２−２とを有している。有機電界発光素子１２−２の構成については、後に詳述する。
【００１７】
画素回路１２−１は、有機電界発光素子１２−２の発光・消光を制御する。画素回路１２−１は、後述の書込走査によって各副画素１２に書き込んだ電圧を保持する機能を有している。画素回路１２−１は、例えば、駆動トランジスタＴｒ１、書込トランジスタＴｒ２および保持容量Ｃｓを含んで構成されている。
【００１８】
書込トランジスタＴｒ２は、駆動トランジスタＴｒ１のゲートに対する、映像信号Ｄｉｎに対応した信号電圧Ｖｓｉｇの印加を制御する。具体的には、書込トランジスタＴｒ２は、信号線ＤＴＬの電圧をサンプリングするとともに、サンプリングにより得られた電圧を駆動トランジスタＴｒ１のゲートに書き込む。駆動トランジスタＴｒ１は、有機電界発光素子１２−２に直列に接続されている。駆動トランジスタＴｒ１は、有機電界発光素子１２−２を駆動する。駆動トランジスタＴｒ１は、書込トランジスタＴｒ２によってサンプリングされた電圧の大きさに応じて有機電界発光素子１２−２に流れる電流を制御する。保持容量Ｃｓは、駆動トランジスタＴｒ１のゲート−ソース間に所定の電圧を保持するものである。保持容量Ｃｓは、所定の期間中に駆動トランジスタＴｒ１のゲート−ソース間電圧Ｖｇｓを一定に保持する役割を有する。なお、画素回路１２−１は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００１９】
各信号線ＤＴＬは、後述の水平セレクタ３１の出力端と、書込トランジスタＴｒ２のソースまたはドレインとに接続されている。各走査線ＷＳＬは、後述のライトスキャナ３２の出力端と、書込トランジスタＴｒ２のゲートとに接続されている。各電源線ＤＳＬは、電源回路と、駆動トランジスタＴｒ１のソースまたはドレインに接続されている。
【００２０】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子２１−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子２１−２側の端子に接続されている。
【００２１】
（ドライバ３０）
ドライバ３０は、例えば、水平セレクタ３１およびライトスキャナ３２を有している。水平セレクタ３１は、例えば、制御信号の入力に応じて（同期して）、コントローラ２０から入力されたアナログの信号電圧Ｖｓｉｇを、各信号線ＤＴＬに印加する。ライトスキャナ３２は、複数の副画素１２を所定の単位ごとに走査する。
【００２２】
（コントローラ２０）
次に、コントローラ２０について説明する。コントローラ２０は、例えば、外部から入力されたデジタルの映像信号Ｄｉｎに対して所定の補正を行い、それにより得られた映像信号に基づいて、信号電圧Ｖｓｉｇを生成する。コントローラ２０は、例えば、生成した信号電圧Ｖｓｉｇを水平セレクタ３１に出力する。コントローラ２０は、例えば、外部から入力された同期信号Ｔｉｎに応じて（同期して）、ドライバ３０内の各回路に対して制御信号を出力する。
【００２３】
次に、図３、図４、図５、図６を参照して、有機電界発光素子１２−２について説明する。図３は、有機電界発光パネル１０の概略構成例を表したものである。図４は、図３の有機電界発光パネル１０のＡ−Ａ線での断面構成例（つまり副画素１２の列方向の断面構成例）を表したものである。図５は、画素１１内の各副画素１２の層構成の一例を表したものである。図６は、図５の各層の厚さの一例を表したものである。
【００２４】
有機電界発光パネル１０は、行列状に配置された複数の画素１１を有している。各画素１１は、例えば、上述したように、赤色光を発する副画素１２（１２Ｒ）、緑色光を発する副画素１２（１２Ｇ）、および青色光を発する副画素１２（１２Ｂ）を含んで構成されている。副画素１２Ｒが本開示の「赤色画素」の一具体例に相当する。副画素１２Ｇが本開示の「緑色画素」の一具体例に相当する。副画素１２Ｂが本開示の「青色画素」の一具体例に相当する。
【００２５】
副画素１２Ｒは、赤色の光を発する有機電界発光素子１２−２（１２ｒ）を含んで構成されている。副画素１２Ｇは、緑色の光を発する有機電界発光素子１２−２（１２ｇ）を含んで構成されている。副画素１２Ｂは、青色の光を発する有機電界発光素子１２−２（１２ｂ）を含んで構成されている。副画素１２Ｒ，１２Ｇ，１２Ｂは、例えば、ストライプ配列となっている。各画素１１において、例えば、副画素１２Ｒ，１２Ｇ，１２Ｂが、列方向に並んで配置されている。さらに、各画素行において、例えば、同一色の光を発する複数の副画素１２が、行方向に並んで配置されている。
【００２６】
有機電界発光パネル１０は、基板１６上に、行方向に延在する複数のラインバンク１３と、列方向に延在する複数のバンク１４とを有している。複数のラインバンク１３および複数のバンク１４は、各副画素１２Ｒを区画する。複数のラインバンク１３は、各画素１１において、各副画素１２を区画する。複数のバンク１４は、各画素行において、各画素１１を区画する。つまり、複数の副画素１２は、複数のラインバンク１３および複数のバンク１４によって区画されている。各バンク１４は、列方向において互いに隣接する２つのラインバンク１３の間に設けられている。各バンク１４の両端部が、列方向において互いに隣接する２つのラインバンク１３に連結されている。
【００２７】
基板１６は、例えば、各有機電界発光素子１２−２や各ラインバンク１３などを支持する基材と、基材上に設けられた配線層とによって構成されている。基板１６内の基材は、例えば、無アルカリガラス、ソーダガラス、無蛍光ガラス、燐酸系ガラス、硼酸系ガラスまたは石英などによって形成されている。基板１６内の基材は、例えば、アクリル系樹脂、スチレン系樹脂、ポリカーボネート系樹脂、エポキシ系樹脂、ポリエチレン、ポリエステル、シリコーン系樹脂、またはアルミナなどによって形成されていてもよい。基板１６内の配線層には、例えば、各画素１１の画素回路１２−１が形成されている。
【００２８】
ラインバンク１３およびバンク１４は、例えば、絶縁性の有機材料によって形成されている。絶縁性の有機材料としては、例えば、アクリル系樹脂、ポリイミド系樹脂、ノボラック型フェノール樹脂などが挙げられる。ラインバンク１３およびバンク１４は、例えば、耐熱性、溶媒に対する耐性を持つ絶縁性樹脂によって形成されていることが好ましい。ラインバンク１３およびバンク１４は、例えば、絶縁性樹脂をフォトリソグラフィおよび現像によって所望のパターンに加工することによって形成される。ラインバンク１３の断面形状は、例えば、図４に示したような順テーパ型であってもよく、裾が狭くなった逆テーパ型であってもよい。バンク１４の断面形状は、例えば、順テーパ型であってもよく、裾が狭くなった逆テーパ型であってもよい。
【００２９】
互いに平行で、かつ互いに隣接する２つのラインバンク１３および両端のバンク１４によって囲まれた領域が、溝部１５なっている。各副画素１２において、各有機電界発光素子１２−２は、互いに平行で、かつ互いに隣接する２つのラインバンク１３の間隙に１つずつ配置されている。つまり、各副画素１２において、各有機電界発光素子１２−２は、溝部１５の中に１つずつ配置されている。
【００３０】
各有機電界発光素子１２−２は、例えば、基板１６上に、陽極２１、正孔注入層２２、正孔輸送層２３、発光層２４、電子輸送層２５、電子注入層２６および陰極２７をこの順に備えたものである。陽極２１が本開示の「第１電極」の一具体例に相当する。発光層２４が本開示の「発光層」の一具体例に相当する。陰極２７が本開示の「第２電極」の一具体例に相当する。
【００３１】
有機電界発光素子１２−２は、例えば、発光層２４と、発光層２４を挟み込むように配置された、陽極２１および陰極２７を備えている。有機電界発光素子１２−２は、例えば、さらに、陽極２１と、発光層２４との間に、正孔注入層２２および正孔輸送層２３を陽極２１側からこの順に備えている。正孔輸送層２３が本開示の「中間層」の一具体例に相当する。このとき、正孔輸送層２３は発光層２４に接している。有機電界発光素子１２−２は、例えば、さらに、発光層２４と、陰極２７との間に、電子輸送層２５および電子注入層２６を発光層２４側からこの順に備えている。なお、電子輸送層２５および電子注入層２６のうち少なくとも一方が省略されていてもよい。有機電界発光素子１２−２は、例えば、陽極２１、正孔注入層２２、正孔輸送層２３、発光層２４、電子輸送層２５、電子注入層２６および陰極２７を基板１６側からこの順に含んで構成された素子構造となっている。有機電界発光素子１２−２において、さらに他の機能層が含まれていてもよい。
【００３２】
正孔注入層２２は、正孔注入効率を高めるための層である。正孔輸送層２３は、陽極２１から注入された正孔を発光層２４へ輸送するための層である。発光層２４は、電子と正孔との再結合により、所定の色の光を発する層である。電子輸送層２５は、陰極２７から注入された電子を発光層２４へ輸送するための層である。電子注入層２６は、電子注入効率を高めるための層である。
【００３３】
陽極２１は、例えば、基板１６の上に形成されている。さらに、陽極２１は、例えば、副画素１２ごとに別個に形成されている。なお、陽極２１は、例えば、画素１１内の各副画素１２で共有されていてもよい。このとき、陽極２１は、ラインバンク１３およびバンク１４で囲まれた領域だけでなく、画素１１内における、基板１６とラインバンク１３との間にも形成されている。また、陽極２１の端縁がバンク１４内に埋め込まれていてもよいし、バンク１４を避けて形成されていてもよい。
【００３４】
陽極２１は、例えば、反射性を有する反射電極である。陽極２１は、例えば、アルミニウム（Ａｌ）、白金（Ｐｔ）、金（Ａｕ）、クロム（Ｃｒ）、タングステン（Ｗ）もしくはアルミニウム合金等の導電性材料からなる反射導電膜である。この場合には、陽極２１の反射面が、アノード反射面（後述の反射界面Ｓ１）となっている。陽極２１は、例えば、透明電極の上に反射電極が積層されたものであってもよい。
【００３５】
陰極２７は、例えば、半透過性を有する反射電極となっている。陰極２７は、例えば、マグネシウム（Ｍｇ）、銀（Ａｇ）、またはこれらの合金により構成されている。この場合には、陰極２７の反射面が、カソード半透過面となっている。陰極２７は、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透明導電性材料からなる透明導電膜と、その透明導電膜の表面上に形成されたＡｌ薄膜とにより構成されていてもよい。このように、陽極２１が反射性を有し、陰極２７が透光性を有している場合には、有機電界発光素子１２−２は、陰極２７側から光を放出するトップエミッション構造となっている。
【００３６】
なお、陽極２１が、半透過性を有する反射電極となっており、かつ、陰極２７が、光反射性を有する反射電極となっていてもよい。このように、陽極２１が透光性を有し、陰極２７が反射性を有している場合には、有機電界発光素子１２−２は、陽極２１側から光が放出するボトムエミッション構造となっている。
【００３７】
正孔注入層２２は、陽極２１から発光層２４へ正孔の注入を促進させる機能を有する。正孔注入層２２は、例えば、金属酸化物層２２Ａと、金属酸化物層２２Ａに積層された有機物層２２Ｂとを含んで構成されている。
【００３８】
金属酸化物層２２Ａは、酸化タングステン（組成式ＷＯｘにおいて、ｘは概ね２＜ｘ＜３の範囲における実数）を含んで構成されている。金属酸化物層２２Ａの膜厚は、２ｎｍ以上となっており、例えば、１０ｎｍとなっている。金属酸化物層２２Ａには、通常混入し得る程度の極微量の不純物が含まれていてもよい。
【００３９】
金属酸化物層２２Ａの膜厚を２ｎｍ以上とすることにより、均一な酸化タングステン膜を成膜しやすくなり、また、以下に示す陽極２１と金属酸化物層２２Ａとの間のショットキーオーミック接続を形成しやすくなる。ショットキーオーミック接続は、酸化タングステン膜の膜厚が２ｎｍ以上で安定して形成される。そのため、これより厚く酸化タングステン膜を形成すれば、ショットキーオーミック接続を利用して、陽極２１から金属酸化物層２２Ａへの安定したホール注入効率を期待できる。なお、「ショットキーオーミック接続」とは、陽極２１のフェルミレベルと、金属酸化物層２２Ａのフェルミ面近傍の占有準位で最も低い結合エネルギーとの差が所定値以下に収まっている接続を言う。
【００４０】
各副画素１２において、金属酸化物層２２Ａの厚さが互いに等しくなっており、例えば、５ｎｍ以上２０ｎｍ以下となっている。さらに、各副画素１２において、金属酸化物層２２Ａが互いに共通の層で形成されている。
【００４１】
有機物層２２Ｂは、金属酸化物層２２Ａに接触して形成されている。有機物層２２Ｂは、導電性ポリマー材料などの有機材料によって形成されている。有機物層２２Ｂは、例えば、ＰＥＤＯＴ（ポリチオフェンとポリスチレンスルホン酸との混合物）などの導電性ポリマー材料の有機高分子溶液を、金属酸化物層２２Ａ上に塗布し乾燥させることにより形成されている。この場合、有機物層２２Ｂは、塗布膜によって構成されている。有機物層２２Ｂは、さらに、例えば、溶解性および不溶化の機能のために、その分子構造中に、可溶性基と、熱解離可溶性基、架橋性基または脱離性保護基などの不溶化基とを有している。つまり、有機物層２２Ｂは、不溶化層となっている。
【００４２】
赤色の有機電界発光素子１２ｒの有機物層２２Ｂの厚さは、青色の有機電界発光素子１２ｂの有機物層２２Ｂの厚さよりも厚くなっている。また、赤色の有機電界発光素子１２ｒの有機物層２２Ｂの厚さは、緑色の有機電界発光素子１２ｇの有機物層２２Ｂの厚さよりも厚くなっている。赤色の有機電界発光素子１２ｒの有機物層２２Ｂの厚さは、例えば、２０ｎｍ以上５０ｎｍ以下となっている。緑色の有機電界発光素子１２ｇの有機物層２２Ｂの厚さは、例えば、０ｎｍよりも厚く、３０ｎｍ以下となっている。青色の有機電界発光素子１２ｂの有機物層２２Ｂの厚さは、例えば、０ｎｍよりも厚く、２５ｎｍ以下となっている。
【００４３】
正孔輸送層２３は、陽極２１から注入された正孔を発光層２４へ輸送する機能を有する。正孔輸送層２３は、さらに、電子ブロッキング性を有している。正孔輸送層は、例えば、塗布膜である。正孔輸送層は、例えば、正孔輸送性および電子ブロッキング性を有する有機材料（以下、「正孔輸送性材料２３Ｍ」と称する。）を溶質の主成分とする溶液を塗布および乾燥することにより形成されている。正孔輸送層は、正孔輸送性材料２３Ｍを主成分として含んで構成されている。つまり、正孔輸送層２３は、不溶化層となっている。
【００４４】
正孔輸送層の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、ヒドラゾン誘導体、トリフェニルメタン誘導体、テトラフェニルベンジン誘導体等、または、これらの組み合わせからなる材料である。正孔輸送性材料２３Ｍは、さらに、例えば、溶解性および不溶化の機能のために、その分子構造中に、可溶性基と、熱解離可溶性基、架橋性基または脱離性保護基などの不溶化基とを有している。
【００４５】
青色の有機電界発光素子１２ｂの正孔輸送層２３の厚さは、赤色の有機電界発光素子１２ｒの正孔輸送層２３の厚さよりも薄くなっており、発光効率の観点からは、例えば、図７に示したように、２０ｎｍ以上となっていることが好ましい。なお、青色の有機電界発光素子１２ｂの正孔輸送層２３の厚さは、色度の観点からは、例えば、図７に示したように、３０ｎｍ以下となっていることが好ましい。緑色の有機電界発光素子１２ｇの正孔輸送層２３の厚さは、赤色の有機電界発光素子１２ｒの有機物層２２Ｂの厚さよりも薄くなっており、発光効率の観点からは、例えば、図８に示したように、１０ｎｍ以上２０ｎｍ以下となっていることが好ましい。緑色の有機電界発光素子１２ｇの正孔輸送層２３の厚さは、青色の有機電界発光素子１２ｂの正孔輸送層２３の厚さとほぼ同じか、または、それよりも薄くなっている。赤色の有機電界発光素子１２ｒの正孔輸送層２３の厚さは、発光効率の観点からは、例えば、図９に示したように、３０ｎｍ以上となっていることが好ましい。赤色の有機電界発光素子１２ｒの正孔輸送層２３の厚さは、光取り出しの観点からは、例えば、図９に示したように、５０ｎｍ以下となっていることが好ましい。なお、図７〜図９の縦軸は、光学シミュレーションから予測される発光効率に対する実測効率の到達度を表している。すなわち、図７〜図９の縦軸の数値が１００％に到達していない場合には、それは、何らかの要因（例えば、電子ブロック性不足による再結合確率の低下）により、光学シミュレーションで予測される効率を実現できていないことを示唆している。
【００４６】
発光層２４は、正孔と電子との再結合により、所定の色の光を発する機能を有する。発光層２４は、塗布膜である。発光層２４は、正孔と電子との再結合により励起子を生成し発光する有機材料（以下、「有機発光材料２４Ｍ」と称する。）を溶質の主成分とする溶液の塗布および乾燥により形成されている。発光層２４は、有機発光材料２４Ｍを主成分として含んで構成されている。副画素１２Ｒに含まれる有機電界発光素子１２ｒでは、有機発光材料２４Ｍが赤色有機発光材料を含んで構成されている。副画素１２Ｇに含まれる有機電界発光素子１２ｇでは、有機発光材料２４Ｍが緑色有機発光材料を含んで構成されている。副画素１２Ｂに含まれる有機電界発光素子１２ｂでは、有機発光材料２４Ｍが青色有機発光材料を含んで構成されている。
【００４７】
発光層２４は、例えば、単層の有機発光層、または、積層された複数の有機発光層によって構成されている。発光層２４が積層された複数の有機発光層によって構成されている場合には、発光層２４は、例えば、主成分が互いに共通の複数の有機発光層を積層したものである。このとき、複数の有機発光層は、ともに、塗布膜である。複数の有機発光層は、ともに、有機発光材料２４Ｍを溶質の主成分とする溶液の塗布および乾燥により形成されている。
【００４８】
発光層２４の原料（材料）である有機発光材料２４Ｍは、例えば、ドーパント材料単独であってもよいが、より好ましくは、ホスト材料とドーパント材料との組み合わせがよい。つまり、発光層２４は、有機発光材料２４Ｍとして、ホスト材料およびドーパント材料を含んで構成されている。ホスト材料は、主に電子又は正孔の電荷輸送の機能を担っており、ドーパント材料は、発光の機能を担っている。ホスト材料およびドーパント材料は１種類のみに限られるものではなく、２種類以上の組み合わせであってもよい。ドーパント材料の量は、ホスト材料に対して、０．０１重量％以上３０重量％以下であるとよく、より好ましくは、０．０１重量％以上１０重量％以下である。
【００４９】
発光層２４のホスト材料としては、例えば、アミン化合物、縮合多環芳香族化合物、ヘテロ環化合物が用いられる。アミン化合物としては、例えば、モノアミン誘導体、ジアミン誘導体、トリアミン誘導体、テトラアミン誘導体が用いられる。縮合多環芳香族化合物としては、例えば、アントラセン誘導体、ナフタレン誘導体、ナフタセン誘導体、フェナントレン誘導体、クリセン誘導体、フルオランテン誘導体、トリフェニレン誘導体、ペンタセン誘導体、または、ペリレン誘導体等が挙げられる。ヘテロ環化合物としては、例えば、カルバゾール誘導体、フラン誘導体、ピリジン誘導体、ピリミジン誘導体、トリアジン誘導体、イミダゾール誘導体、ピラゾール誘導体、トリアゾール誘導体、オキサゾール誘導体、オキサジアゾール誘導体、ピロール誘導体、インドール誘導体、アザインドール誘導体、アザカルバゾール、ピラゾリン誘導体、ピラゾロン誘導体、または、フタロシアニン誘導体等が挙げられる。
【００５０】
また、発光層２４のドーパント材料としては、例えば、ピレン誘導体、フルオランテン誘導体、アリールアセチレン誘導体、フルオレン誘導体、ペリレン誘導体、オキサジアゾール誘導体、アントラセン誘導体、または、クリセン誘導体が用いられる。また、発光層２４のドーパント材料としては、金属錯体が用いられてもよい。金属錯体としては、例えば、イリジウム（Ｉｒ）、白金（Ｐｔ）、オスミウム（Ｏｓ）、金（Ａｕ）、レニウム（Ｒｅ）、もしくは、ルテニウム（Ｒｕ）等の金属原子と配位子とを有するものが挙げられる。
【００５１】
電子輸送層２５は、陰極２７から注入された電子を発光層２４へ輸送する機能を有する。電子輸送層２５は、電子輸送性を有する有機材料（以下、「電子輸送性材料２５Ｍ」と称する。）主成分として含んで構成されている。
【００５２】
電子輸送層２５は、発光層２４と陰極２７との間に介在し、陰極２７から注入された電子を発光層２４へ輸送する機能を有する。電子輸送層２５の原料（材料）である電子輸送性材料２５Ｍは、例えば、分子内にヘテロ原子を１個以上含有する芳香族ヘテロ環化合物である。芳香族ヘテロ環化合物としては、例えば、ピリジン環、ピリミジン環、トリアジン環、ベンズイミダゾール環、フェナントロリン環、キナゾリン環等を骨格に含む化合物が挙げられる。また、電子輸送層２５は、電子輸送性を有する金属を含んでもよい。電子輸送層２５は、電子輸送性を有する金属を含むことで、電子輸送層２５の電子輸送性を向上できる。電子輸送層２５に含まれる金属としては、例えば、バリウム（Ｂａ）、リチウム（Ｌｉ）、カルシウム（Ｃａ）、カリウム（Ｋ）、セシウム（Ｃｓ）、ナトリウム（Ｎａ）、ルビジウム（Ｒｂ）、イットリビウム（Ｙｂ）等を用いることができる。
【００５３】
本実施の形態では、有機電界発光素子１２−２を構成する各層（例えば、正孔注入層２２、正孔輸送層２３、発光層２４、電子輸送層２５および電子注入層２６）が、溝部１５を共有する各副画素１２で共有されている。つまり、有機電界発光素子１２−２を構成する各層（例えば、正孔注入層２２、正孔輸送層２３、発光層２４、電子輸送層２５および電子注入層２６）が、例えば、溝部１５内において、行方向に延在して形成されており、陽極２１およびバンク１４の表面に連続して形成されている。
【００５４】
また、本実施の形態では、有機電界発光素子１２−２内の一部の層（例えば、正孔注入層２２、正孔輸送層２３および発光層２４）が、１つの画素１１内の各副画素１２で共有されておらず、１つの画素１１内の副画素１２ごとに別個に形成されている。つまり、有機電界発光素子１２−２内の一部の層（例えば、正孔注入層２２、正孔輸送層２３および発光層２４）は、例えば、図４に示したように、ラインバンク１３を避けて形成されている。また、本実施の形態では、有機電界発光素子１２−２内の一部の層（例えば、電子輸送層２５および電子注入層２６）が、１つの画素１１内の各副画素１２で共有されている。つまり、有機電界発光素子１２−２内の一部の層（例えば、電子輸送層２５および電子注入層２６）は、例えば、図４に示したように、ラインバンク１３を乗り越えて形成されている。
【００５５】
また、本実施の形態では、陰極２７は、有機電界発光パネル１０の画素領域全体に渡って形成されている。具体的には、陰極２７は、電子注入層２６、ラインバンク１３およびバンク１４の表面全体に渡って連続して形成されている。
【００５６】
有機電界発光素子１２−２は、さらに、例えば、図４に示したように、有機電界発光素子１２−２を構成する各有機層（例えば、正孔注入層２２、正孔輸送層２３、発光層２４、電子輸送層２５および電子注入層２６）を保護および封止する封止層２８を有している。封止層２８は、例えば、各有機電界発光素子１２−２の陰極２７の表面に接して設けられている。
【００５７】
次に、本実施の形態に係る有機電界発光素子１２−２の特徴について説明する。
【００５８】
副画素１２Ｒ、副画素１２Ｇおよび副画素１２Ｂにおいて、有機電界発光素子１２−２には、マイクロキャビティ構造が設けられている。マイクロキャビティ構造は、例えば、陽極２１と陰極２７との間で生じる光の共振を利用し、特定波長の光を増強させる効果を有する。発光層２４から発せられた光は、陽極２１と陰極２７との間で多重反射する。このとき、発光層２４から発せられた光のうちの特定の波長成分が強められる。
【００５９】
本実施の形態では、副画素１２Ｒ、副画素１２Ｇおよび副画素１２Ｂから射出される光の波長は、それぞれ異なる。そのため、陽極２１と陰極２７との間の光路長は、各色の発光スペクトルピーク波長に対応している。マイクロキャビティ構造により、発光層２４から出射された光は、陽極２１と陰極２７との間で所定の光学長の範囲内で反射を繰り返し、光路長に対応した特定の波長の光は共振して増強される一方、光路長に対応しない波長の光は弱められる。その結果、外部に取り出される光のスペクトルが急峻でかつ高強度になり、輝度および色純度が向上する。
【００６０】
マイクロキャビティ構造では、膜厚が大きくなるにつれて、１次干渉（ファーストキャビティ）、２次干渉（セカンドキャビティ）、３次干渉（サードキャビティ）などが発生する。副画素１２Ｒ、副画素１２Ｇおよび副画素１２Ｂにおいて、マイクロキャビティ構造は、例えば、セカンドキャビティが生じる光路長を有している。副画素１２Ｒのマイクロキャビティ構造において、陽極２１と陰極２７との間の距離が、例えば、副画素１２Ｒの発光層２４から出射される光（赤色光）の波長においてセカンドキャビティが生じる光路長となっている。また、副画素１２Ｇのマイクロキャビティ構造において、陽極２１と陰極２７との間の距離が、例えば、副画素１２Ｇの発光層２４から出射される光（緑色光）の波長においてセカンドキャビティが生じる光路長となっている。また、副画素１２Ｂのマイクロキャビティ構造において、陽極２１と陰極２７との間の距離が、例えば、副画素１２Ｂの発光層２４から出射される光（青色光）の波長においてセカンドキャビティが生じる光路長となっている。
【００６１】
本実施の形態では、副画素１２Ｒ、副画素１２Ｇおよび副画素１２Ｂにおいて、電子輸送層２５は、互いに共通の層で構成されている。例えば、副画素１２Ｒ、副画素１２Ｇおよび副画素１２Ｂにおいて、電子輸送層２５は、蒸着やスパッタなどによって一括成膜されている。副画素１２Ｒ、副画素１２Ｇおよび副画素１２Ｂにおいて、正孔注入層２２、正孔輸送層２３、発光層２４、電子輸送層２５および電子注入層２６は、例えば、陽極２１と陰極２７との間の距離が、セカンドキャビティが生じる光路長となるように調整された膜厚となっている。
【００６２】
有機電界発光素子１２−２の設計では、陽極２１と発光層２４の発光中心との距離（下部層の厚さ）や、陰極２７と発光層２４の発光中心との距離（上部層の厚さ）が非常に重要である。これらの距離の基準点は、厳密には発光再結合が起こる位置である。図６には、副画素１２Ｒ、副画素１２Ｇおよび副画素１２Ｂにおいて発光層２４の発光中心が発光層２４内の正孔輸送層２３側に位置しているときの、各層の膜厚の一例が示されている。図６には、各副画素１２のマイクロキャビティ構造が、セカンドキャビティが生じる光路長を有しているときの数値例が示されている。
【００６３】
副画素１２Ｒ、副画素１２Ｇおよび副画素１２Ｂにおいて、金属酸化物層２２Ａの膜厚は理想的には５ｎｍ以上２０ｎｍ以下となっている。副画素１２Ｒにおいて、有機物層２２Ｂの膜厚が理想的には２０ｎｍ以上５０ｎｍ以下となっている。副画素１２Ｇにおいて、有機物層２２Ｂの膜厚が理想的には０ｎｍよりも厚く、３０ｎｍ以下となっている。副画素１２Ｂにおいて、有機物層２２Ｂの膜厚が理想的には０ｎｍよりも厚く、２５ｎｍ以下となっている。有機物層２２Ｂの膜厚は、発光層２４の発光中心から発せられた光がマイクロキャビティ構造によって共振するような光路長となっている。
【００６４】
なお、副画素１２Ｒ、副画素１２Ｇおよび副画素１２Ｂにおいて、マイクロキャビティ構造が、サードキャビティが生じる光路長を有していてもよい。
【００６５】
ところで、マイクロキャビティ構造において、発光層２４の発光中心から、陽極２１および陰極２７で反射されることなく直接、陰極２７側から外部に出射する光（直接光）と、発光層２４の発光中心から、陽極２１で反射されて、陰極２７側から外部に出射する光（反射光）との干渉が、有機電界発光素子１２−２の発光に対して最も支配的である。そのため、上記直接光と、上記反射光との光学距離の差に対応する光学膜厚（陽極２１から発光中心までの光学距離）について説明する。なお、以下では、上記直接光と、上記反射光との光学距離の差に対応する光学膜厚をＬｘと称する。
【００６６】
発明者らは、正孔輸送層２３の膜厚を、適宜設定して光取り出し効率を調整した場合、所定の電流密度を得るために必要とされる駆動電圧が、膜厚が厚くなるにつれて増加することを確認した。
【００６７】
また、発光層２４の発光色ごとに正孔注入層２２の膜厚を異ならせることで、正孔注入層２２を、発光層２４に適したキャリア密度に相応する正孔供給を可能な構成とすることが好ましい。そこで、発明者らは、光学膜厚Ｌｘの調整についても、正孔注入層２２の膜厚を適宜設定することにより、光取り出し効率を調整することが好ましいと考えた。
【００６８】
正孔注入層２２のうち、金属酸化物層２２Ａの膜厚を調整することにより共振器構造を実現しようとすると、気相成長法で成膜する金属酸化物層２２Ａの厚みを副画素１２ごとに異ならせるには、各副画素１２の領域のみ開口したシャドウマスクを用いて金属酸化物層２２Ａを副画素１２ごとに別個に成膜してパターンニングする必要がある。そのため、製造プロセス上タクトが増加するとともに、量産上コストの増加を伴う。
【００６９】
そこで、本実施の形態では、光学膜厚Ｌｘの調整を、正孔注入層２２のうち上部層である有機物層２２Ｂの膜厚を調整することにより行う。
【００７０】
具体的には、Ｒ、Ｇ、Ｂ各色の正孔注入層２２の膜厚は、光学シミュレーションに基づき、５ｎｍ以上７０ｎｍ以下に調整されていることが好ましい。図１０Ａ，図１０Ｂ，図１０Ｃは、ＲＧＢ各色の有機物層２２Ｂの厚みと光取り出し効率との関係を示す光学シミュレーション結果を示す図である。図１０Ａは赤色の副画素１２Ｒの有機物層２２Ｂの厚みと光取り出し効率との関係、図１０Ｂは緑色の副画素１２Ｇの有機物層２２Ｂの厚みと光取り出し効率との関係、図１０Ｃは青色の副画素１２Ｇの有機物層２２Ｂの厚みと光取り出し効率との関係を示したものである。図１０Ａ，図１０Ｂ，図１０Ｃから、ＲＧＢ各色の光取り出し効率が最大値の８０％以上になる有機物層２２Ｂの膜厚を好ましい範囲として算出した。その結果、赤色の副画素１２Ｒの有機物層２２Ｂの膜厚は、２０ｎｍ以上５０ｎｍ以下であることが好ましく、緑色の副画素１２Ｇの有機物層２２Ｂの膜厚は、０ｎｍより大きく３０ｎｍ以下であることが好ましく、青色の副画素１２Ｇの有機物層２２Ｂの膜厚は、０ｎｍより大きく２５ｎｍ以下であることが好ましいことが判明した。また、同様の検討により、金属酸化物層２２Ａの膜厚は、５ｎｍ以上２０ｎｍ以下であって、かつ、各色において金属酸化物層２２Ａの膜厚が互いに等しいことが好ましいことがわかった。
【００７１】
[効果]
次に、本実施の形態の有機電界発光パネル１０およびそれを備えた有機電界発光装置１の効果について説明する。
【００７２】
本実施の形態では、各緑色の副画素１２Ｇの正孔輸送層２３の厚さが、各赤色の副画素１２Ｒの正孔輸送層２３の厚さよりも薄くなっている。これにより、各緑色の副画素１２Ｇの正孔輸送層２３の厚さを、各赤色の副画素１２Ｒの正孔輸送層２３の厚さよりも厚くしたときのような、各緑色の副画素１２Ｇにおける発光効率の低下が抑制される。これにより、発光効率を向上させることができる。また、発光効率の向上の伴い、高寿命化を図ることもできる。
【００７３】
また、本実施の形態において、各赤色の副画素１２Ｒ、各緑色の副画素１２Ｒおよび各青色の副画素１２Ｂにおいて、正孔輸送層２３が発光層２４に接している場合には、陰極２７から注入された電子を発光層２４に閉じ込めることができ、各副画素１２における発光層２４内での再結合確率の低下を防ぐことができる。その結果、発光効率を向上させることができる。
【００７４】
また、本実施の形態において、正孔輸送層２３は、塗布膜で形成されており、かつ、不溶化層となっている場合には、発光層２４も、発光層２４と同様に塗布膜で形成することができる。その結果、簡易な方法で、各副画素１２における発光効率の低下を抑制することができる。従って、発光効率の高い有機電界発光パネル１０およびそれを備えた有機電界発光装置１を提供することができる。
【００７５】
また、本実施の形態において、正孔注入層２２が金属酸化物層２２Ａおよび有機物層２２Ｂによって構成されており、各赤色の副画素１２Ｒ、各緑色の副画素１２Ｒおよび各青色の副画素１２Ｂにおいて、金属酸化物層２２Ａの厚さが互いに等しくなっている場合には、金属酸化物層２２Ａを、例えば、蒸着やスパッタなどで一括して形成することができる。その結果、簡易な製法で、各副画素１２における発光効率の低下を抑制することができる。従って、発光効率の高い有機電界発光パネル１０およびそれを備えた有機電界発光装置１を提供することができる。
【００７６】
また、本実施の形態において、金属酸化物層２２Ａおよび有機物層２２Ｂが陽極２１から発光層２４へ正孔の注入を促進させる機能を有している場合には、正孔注入層が単層で構成されているときと比べて、正孔注入性と駆動電圧の適切な調整を行うことができる。これにより、各副画素１２における発光効率を向上させることができる。従って、発光効率の高い有機電界発光パネル１０およびそれを備えた有機電界発光装置１を提供することができる。
【００７７】
また、本実施の形態では、各緑色の副画素１２Ｇの正孔輸送層２３の厚さが、各赤色の副画素１２Ｒの正孔輸送層２３の厚さよりも薄くなっている。これにより、各緑色の副画素１２Ｇの正孔輸送層２３の厚さを、各赤色の副画素１２Ｒの正孔輸送層２３の厚さよりも厚くしたときのような、各緑色の副画素１２Ｇにおける発光効率の低下が抑制される。これにより、発光効率を向上させることができる。
【００７８】
また、本実施の形態において、各青色の副画素１２Ｂの正孔輸送層２３の厚さが２０ｎｍ以上３０ｎｍ以下となっており、各緑色の副画素１２Ｇの正孔輸送層２３の厚さが１０ｎｍ以上２０ｎｍ以下となっており、各赤色の副画素１２Ｒの正孔輸送層２３の厚さが３０ｎｍ以上５０ｎｍ以下となっている場合には、高い発光効率だけでなく、均一な色度も得ることができる。
【００７９】
＜２．変形例＞
次に、上記実施の形態に係る有機電界発光装置１の変形例について説明する。上記実施の形態およびその変形例に係る有機電界発光装置１において、有機電界発光パネル１０は、基板１６上に、ラインバンク１３およびバンク１４の代わりに、例えば、図１０に示したように、行方向および列方向に延在する格子状のピクセルバンク１８を有していてもよい。なお、図１０において、Ａ−Ａ線における断面構成は、図４の断面構成においてラインバンク１３の代わりにピクセルバンク１８を設けたものに相当する。
【００８０】
ピクセルバンク１８は、各画素１１の周囲に設けられている。ピクセルバンク１８は、各画素１１を区画するとともに、各画素１１において各副画素１２を区画する。ピクセルバンク１８によって囲まれた領域が、副画素１２なっている。各副画素１２において、各有機電界発光素子１２−２が１つずつ配置されている。つまり、各副画素１２において、各有機電界発光素子１２−２は、ピクセルバンク１８によって囲まれた領域の中に１つずつ配置されている。本変形例では、上記実施の形態と同様の効果を奏することができる。
【００８１】
＜３．適用例＞
[適用例その１]
以下では、上記実施の形態およびその変形例に係る有機電界発光装置１の適用例について説明する。上記実施の形態およびその変形例に係る有機電界発光装置１は、テレビジョン装置、デジタルカメラ、ノート型パーソナルコンピュータ、シート状のパーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００８２】
図１１は、本適用例に係る電子機器２の外観を斜視的に表したものである。電子機器２は、例えば、筐体３１０の主面に表示面３２０を備えたシート状のパーソナルコンピュータである。電子機器２は、電子機器２の表示面３２０に、上記実施の形態およびその変形例に係る有機電界発光装置１を備えている。上記実施の形態およびその変形例に係る有機電界発光装置１は、有機電界発光パネル１０が外側を向くように配置されている。本適用例では、上記実施の形態およびその変形例に係る有機電界発光装置１が表示面３２０に設けられているので、発光効率の高い電子機器２を実現することができる。
【００８３】
[適用例その２]
以下では、上記実施の形態およびその変形例に係る有機電界発光素子１２−２の適用例について説明する。上記実施の形態およびその変形例に係る有機電界発光素子１２−２は、卓上用もしくは床置き用の照明装置、または、室内用の照明装置など、あらゆる分野の照明装置の光源に適用することが可能である。
【００８４】
図１２は、上記実施の形態およびその変形例に係る有機電界発光素子１２−２が適用される室内用の照明装置の外観を表したものである。この照明装置は、例えば、上記実施の形態およびその変形例に係る１または複数の有機電界発光素子１２−２を含んで構成された照明部４１０を有している。照明部４１０は、建造物の天井４２０に適宜の個数および間隔で配置されている。なお、照明部４１０は、用途に応じて、天井４２０に限らず、壁４３０または床（図示せず）など任意の場所に設置することが可能である。
【００８５】
これらの照明装置では、上記実施の形態およびその変形例に係る有機電界発光素子１２−２からの光により、照明が行われる。これにより、発光効率の高い照明装置を実現することができる。
【００８６】
以上、実施の形態を挙げて本開示を説明したが、本開示は実施の形態に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００８７】
また、例えば、本開示は以下のような構成を取ることができる。
（１）
複数の赤色画素、複数の緑色画素および複数の青色画素を備え、
各前記赤色画素、各前記緑色画素および各前記青色画素は、第１電極層、電子ブロッキング性を有する中間層、発光層および第２電極層をこの順に有し、
各前記緑色画素の前記中間層の厚さが、各前記赤色画素の前記中間層の厚さよりも薄くなっている
有機電界発光パネル。
（２）
各前記赤色画素、各前記緑色画素および各前記青色画素において、前記中間層は、前記発光層に接している
（１）に記載の有機電界発光パネル。
（３）
前記中間層は、塗布膜で形成されており、かつ、不溶化層となっている
（１）または（２）に記載の有機電界発光パネル。
（４）
各前記赤色画素、各前記緑色画素および各前記青色画素は、前記第１電極層と前記中間層との間に、前記発光層へ正孔の注入を促進させる機能を有する正孔注入層を有し、
前記中間層は、正孔を前記発光層へ輸送する機能を有する
（１）から（３）のいずれか１つに記載の有機電界発光パネル。
（５）
前記正孔注入層は、金属酸化物層と、前記金属酸化物層に積層された有機物層とを含んで構成されており、
各前記赤色画素、各前記緑色画素および各前記青色画素において、前記金属酸化物層の厚さが互いに等しくなっている
（４）に記載の有機電界発光パネル。
（６）
各前記赤色画素の前記有機物層の厚さが、各前記緑色画素の前記有機物層の厚さよりも厚くなっている
（５）に記載の有機電界発光パネル。
（７）
各前記青色画素の前記中間層の厚さが、２０ｎｍ以上３０ｎｍ以下となっており、
各前記緑色画素の前記中間層の厚さが、１０ｎｍ以上２０ｎｍ以下となっており、
各前記赤色画素の前記中間層の厚さが、３０ｎｍ以上５０ｎｍ以下となっている
（６）に記載の有機電界発光パネル。
（８）
有機電界発光パネルと、前記有機電界発光パネルを駆動する駆動回路とを備え、
前記有機電界発光パネルは、複数の赤色画素、複数の緑色画素および複数の青色画素を有し、
各前記赤色画素、各前記緑色画素および各前記青色画素は、第１電極層、電子ブロッキング性を有する中間層、発光層および第２電極層をこの順に有し、
各前記緑色画素の前記中間層の厚さが、各前記赤色画素の前記中間層の厚さよりも薄くなっている
電子機器。
【符号の説明】
【００８８】
１…有機電界発光装置、２…電子機器、１０…有機電界発光パネル、１１…画素、１２，１２Ｒ，１２Ｇ，１２Ｂ…副画素、１２−１…画素回路、１２−２…有機電界発光素子、１３…ラインバンク、１４…バンク、１５…溝部、１６…基板、１８…ピクセルバンク、２０…コントローラ、２１…陽極、２２…正孔注入層、２２Ａ…金属酸化物層、２２Ｂ…有機物層、２３…正孔輸送層、２４…発光層、２４Ａ…発光領域、２５…電子輸送層、２６…電子注入層、２７…陰極、２８…封止層、３０…ドライバ、３１…水平セレクタ、３２…ライトスキャナ、３１０…筐体、３２０…表示面、４１０…照明部、４２０…天井、４３０…壁、Ｔｒ１…駆動トランジスタ、Ｔｒ２…選択トランジスタ、Ｃｓ…保持容量、ＤＳＬ…電源線、ＤＴＬ…信号線、Ｖｇｓ…ゲート−ソース間電圧、Ｖｓｉｇ…信号電圧、ＷＳＬ…選択線。
【図１】
2019153710.tif 000003
【図２】
2019153710.tif 000004
【図３】
2019153710.tif 000005
【図４】
2019153710.tif 000006
【図５】
2019153710.tif 000007
【図６】
2019153710.tif 000008
【図７】
2019153710.tif 000009
【図８】
2019153710.tif 000010
【図９】
2019153710.tif 000011
【図１０Ａ】
2019153710.tif 000012
【図１０Ｂ】
2019153710.tif 000013
【図１０Ｃ】
2019153710.tif 000014
【図１１】
2019153710.tif 000015
【図１２】
2019153710.tif 000016
【図１３】
2019153710.tif 000017